(57)【要約】【課題】  表面及び内部には結露水が溜まりにくく、設置される室内には、湿度の高い蒸気が排出されなくなる蒸気排出装置を提供すること。【解決手段】  炊飯器１６が載置される載置台１５を備えたキャビネット１０における載置台１５の上方に設置される蒸気排出装置２０を、装置本体２０ａと、ファン３１で構成した。装置本体２０ａを、前面部２２に排出口２２ａが形成され、下面部２６の一部が複数の貫通孔２８ａが形成された吸湿部材２８で構成された箱状に形成した。また、ファン３１を、装置本体２０ａ内における排出口２２ａの近傍に設置して炊飯器１６が発生した蒸気を吸湿部材２８を介して装置本体２０ａ内に吸い込むとともに吸湿部材２８によって除湿された蒸気又は空気を排出口２２ａから外部に排出するようにした。【選択図】  図３
2016106663.tif 000002
【特許請求の範囲】
【請求項１】
蒸気を発生する家電機器が載置される載置台を備えたキャビネットにおける前記載置台の上方に設置される蒸気排出装置であって、
前面に排出口が形成され、下面部の少なくとも一部が通気性を有する吸湿部材で構成された箱状の装置本体と、
前記装置本体内における前記排出口の近傍に設置され前記家電機器が発生した蒸気を前記吸湿部材を通して前記装置本体内に吸い込み、当該蒸気を前記排出口から外部に排出するファンと
が備わっていることを特徴とする蒸気排出装置。
【請求項２】
前記吸湿部材が吸気口を備えた板部材で構成されている請求項１に記載の蒸気排出装置。
【請求項３】
前記載置台の後部及び左右両側部のうちの少なくとも左右両側部側に上下に延びる壁面部が設けられているとともに、前記蒸気排出装置が、前記装置本体の側面部を前記壁面部に沿わせて前記キャビネットに設置されており、前記装置本体の下面部の端部と前記壁面部との間又は前記下面部における前記壁面部の近傍にスリットが形成されている請求項２に記載の蒸気排出装置。
【請求項４】
前記吸湿部材の周縁部に下方に突出する堰が形成されている請求項１ないし３のうちのいずれか一つに記載の蒸気排出装置。
【発明の詳細な説明】
【技術分野】
【０００１】
本発明は、蒸気を発生する家電機器が載置される載置台を備えたキャビネットにおける載置台の上方に設置される蒸気排出装置に関する。
【背景技術】
【０００２】
従来から、キッチンに設置されるキャビネットとして、炊飯器、湯沸かし用ポット等の家電機器を設置するための載置台を備えたものがある。このようなキャビネットにおいては、家電機器から発生する蒸気によって、キャビネットにおける家電機器を設置する空間の周囲の壁面部、天井部等に結露水が付着したり、キャビネットが設置される室内の湿度が増加したりするという問題がある。このため、キャビネットにおける家電機器を載置する載置台の上方に蒸気排出装置を設置して、家電機器から発生する蒸気を強制的に、外部に排出して拡散させるようにしたキャビネットもある（例えば、特許文献１参照）。
【０００３】
この蒸気排出装置（換気装置）は、吸引口にファンを設けるとともに排気口に脱臭フィルターを設けて構成されており、調理台の上方に位置する吊戸棚の下部に設置されている。そして、調理台の上で炊飯器を使用したときに、炊飯器から発生する蒸気は、ファンの作動によって、吸引口から蒸気排出装置の内部に吸引され、脱臭フィルターを通過する際に除湿及び脱臭されて排気口から蒸気排出装置の外部に排出される。
【先行技術文献】
【特許文献】
【０００４】
【特許文献１】実開平６−５９７３３号公報
【発明の概要】
【０００５】
しかしながら、前述した蒸気排出装置では、脱臭はできるが、湿度の高い蒸気がフィルター内を通過して外部に排出されるため、蒸気排出装置の下面及び内部には蒸気の結露によって生じる結露水が溜まり易いという問題が生じる。
【０００６】
本発明は、前述した問題に対処するためになされたもので、その目的は、表面及び内部には結露水が溜まりにくく、設置される室内には、湿度の高い蒸気が排出されなくなる蒸気排出装置を提供することにある。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００７】
前述した目的を達成するため、本発明に係る蒸気排出装置の構成上の特徴は、蒸気を発生する家電機器（１６）が載置される載置台（１５）を備えたキャビネット（１０）における載置台の上方に設置される蒸気排出装置（２０，４０，５０）であって、前面（２２）に排出口（２２ａ）が形成され、下面部（２６，４６，５６）の少なくとも一部が通気性を有する吸湿部材（２８）で構成された箱状の装置本体（２０ａ，４０ａ，５０ａ）と、装置本体内における排出口の近傍に設置され家電機器が発生した蒸気を吸湿部材を通して装置本体内に吸い込み、当該蒸気を排出口から外部に排出するファン（３１）とが備わっていることにある。
【０００８】
本発明に係る蒸気排出装置では、蒸気排出装置の装置本体を箱状に形成して、その前面に排出口を形成するとともに、装置本体の下面部の少なくとも一部を通気性を有する吸湿部材で構成している。また、装置本体内における排出口の近傍にはファンを設置している。このため、ファンを作動させることにより、蒸気排出装置の下方に置かれる所定の家電機器から発生する蒸気を吸湿部材を通して装置本体内に吸い込み、排出口から外部に排出することができる。この場合、蒸気は吸湿部材を通過する際に、吸湿部材の吸湿によって水分が減少した蒸気となってキャビネットが設置された室内に排出される。また、吸湿部材が、蒸気が通過する流路の一部を構成するため、吸湿部材と蒸気との接触時間が長くなるとともに接触面積が大きくなり、吸湿部材による蒸気からの吸湿量が多くなる。従って、蒸気排出装置の内部には蒸気の結露によって生じる結露水が付着しにくい。
【０００９】
また、吸湿部材に、貫通孔、スリットなどを形成することで、吸湿部材に通気性を持たせてもよい。これによると、吸湿部材を通過する蒸気を効果的に除湿できる。また、吸湿部材が吸収した水分は、放置しておけば自然に蒸発するため、特に、吸湿部材に処理を加える必要はない。このため、メンテナンスも容易になる。なお、載置台は、キャビネットの天板でもよい。
【００１０】
本発明に係る蒸気排出装置の他の構成上の特徴は、吸湿部材が吸気口（２８ａ）を備えた板部材で構成されていることにある。
【００１１】
本発明によると、吸気口を形成することで吸湿部材に通気性を持たせることができる。また、吸湿部材の下面で吸湿しきれない蒸気を吸気口から装置本体内に吸引することができ、蒸気が吸気口を通過する際にも、蒸気は吸湿部材に接触して除湿される。さらに、吸気口を形成する位置を任意に設定することにより、蒸気の流路を変更することができる。例えば、吸気口を、排出口から離れた装置本体の後部に設けると、装置本体の内部で蒸気が吸湿部材に接触する面積が大きくなり、これによって、吸湿部材による蒸気からの吸湿量がさらに多くなる。
【００１２】
本発明に係る蒸気排出装置のさらに他の構成上の特徴は、載置台の後部及び左右両側部のうちの少なくとも左右両側部側に上下に延びる壁面部（１１，１２，１３）が設けられているとともに、蒸気排出装置が、装置本体の側面部を壁面部に沿わせてキャビネットに設置されており、装置本体の下面部（２６，４６，５６）の端部と壁面部との間又は下面部における壁面部の近傍にスリット（２６ｂ，２６ｃ，２６ｄ，４６ｃ，４６ｄ，５６ｃ，５６ｄ）が形成されていることにある。
【００１３】
キャビネットにおける載置台の縁部側に設けられた壁面部に、装置本体の端面を沿わせて蒸気排出装置をキャビネットに設置した場合、吸湿部材を通過せず、吸湿部材に吸湿もされなかった蒸気は、壁面部に付着し結露水となる。本発明では、装置本体の下面部の端部と壁面部との間又は下面部における壁面部の近傍にスリットを形成しているため、蒸気はスリットを通過して装置本体内に吸引されファンが位置する前方に流れていくようになり、これによって、キャビネットの壁面部に結露水が付着することを防止する。
【００１４】
本発明に係る蒸気排出装置のさらに他の構成上の特徴は、吸湿部材の周縁部に下方に突出する堰（２７ａ）が形成されていることにある。
【００１５】
本発明によると、家電機器から吸湿部材の下面に上昇してきた蒸気は、堰によって吸湿部材の外側に流れることを防止される。このため、蒸気は吸湿部材の下面に滞留して、吸湿部材との接触時間が長くなり、吸湿部材によって吸収される水分量が大幅に増加する。
【図面の簡単な説明】
【００１６】
【図１】本発明の一実施形態に係る蒸気排出装置を備えたキャビネットを示しており、（ａ）は平面図、（ｂ）は正面図、（ｃ）は側方から見た断面図である。
【図２】蒸気排出装置を示しており、（ａ）は平面図、（ｂ）は正面図、（ｃ）は側面図である。
【図３】図２（ｂ）の３−３断面図である。
【図４】図２（ｂ）の４−４断面図である。
【図５】蒸気排出装置の装置本体を示した斜視図である。
【図６】図４に一点鎖線で示した領域Ａの拡大図である。
【図７】図４に一点鎖線で示した領域Ｂの拡大図である。
【図８】変形例に係る蒸気排出装置の内部を示した断面図である。
【図９】他の変形例に係る蒸気排出装置の内部を示した断面図である。
【発明を実施するための形態】
【００１７】
以下、本発明の一実施形態を図面を用いて説明する。図１は、同実施形態に係る蒸気排出装置２０が設置されたキャビネット１０を示している。このキャビネット１０は、左右よりも上下の長さが少し長い矩形板状の背面部１１の左右両側に、略矩形板状の側面部１２，１３を組み付け、側面部１２，１３の内面と背面部１１の前面のそれぞれ上端部に矩形板状の上面部１４を掛け渡すとともに、側面部１２，１３の内面と背面部１１の前面とにおける上下方向の略中央に矩形板状の載置台１５を掛け渡して形成されている。
【００１８】
側面部１２，１３は、上下の長さよりも前後の長さが短くなっており、下端前部に切欠き部１２ａ，１３ａが形成されている。また、載置台１５の前後の長さは上面部１４の前後の長さよりも少し短くなっており、載置台１５の前端部は、側面部１２，１３及び上面部１４の前端部よりも少し後方に位置している。この載置台１５は、蒸気を発生する家電機器、例えば、炊飯器１６、湯沸しポット（図示せず）などを置くためのものである。また、側面部１２，１３の内面上部の前後のそれぞれ対向する部分に支持部１８が設けられている。そして、蒸気排出装置２０は支持部１８に支持された状態で上面部１４の下面側に設置されている。
【００１９】
蒸気排出装置２０は、図２ないし図４に示したように、装置本体２０ａと、装置本体２０ａの内部に設置されたファン３１及びファン３１を作動させるモータと電装部品を備えた駆動装置３２とで構成されている。また、装置本体２０ａは、箱状部２１と、箱状部２１に組み付けられた吸湿部材２８で構成されている。箱状部２１は、ステンレスからなる板材を、左右の長さが５７５ｍｍ、前後の長さが２７５ｍｍ、上下の長さが５０ｍｍに設定された箱状に形成した形状をしており、その前面部２２の左端部側を除いた部分に前後に貫通する１４個の排出口２２ａが形成されている。各排出口２２ａは、左右の長さが５０ｍｍ、上下の長さが１０ｍｍに設定されており、互いの左右の間隔を１０ｍｍ、互いの上下の間隔を１５ｍｍとした一定間隔で上下２列に配置されている。また、前面部２２の前面左端部側には複数の操作スイッチ２３ａを備えた操作パネル２３が設けられている。
【００２０】
箱状部２１内の前部には、図５に示したように、ファン３１が設置されるファン収納部２４と、駆動装置３２が設置される駆動装置収納部２５が形成されている。また、図６には、図４の領域Ａを拡大した状態を示しており、この図６に示したように、ファン収納部２４の後壁２４ａには、ファン収納部２４を箱状部２１内の後部側の空間に連通させるための開口２４ｂが形成されている。また、駆動装置収納部２５は、箱状部２１内の空間から独立しており、駆動装置収納部２５内に蒸気が浸入しないように密閉されている。前述した操作パネル２３は、駆動装置収納部２５の前方に配置されている。
【００２１】
箱状部２１の下面部２６におけるファン収納部２４と駆動装置収納部２５の後方部分の外周部分には、それぞれ上下に貫通する細長いスリット２６ａ，２６ｂ，２６ｃ，２６ｄが形成されている。スリット２６ａ，２６ｂは、下面部２６の前部と後部にそれぞれ配置されて左右に延びており、左右の長さが５４０ｍｍ、前後の幅が５ｍｍに設定されている。スリット２６ｃ，２６ｄは、下面部２６の左側部分と右側部分にそれぞれ配置されて前後に延びており、前後の長さが１８５ｍｍ、左右の幅が５ｍｍに設定されている。また、下面部２６におけるスリット２６ａ，２６ｂ，２６ｃ，２６ｄで囲まれた部分には開口２６ｅ（図７（図４の領域Ｂを拡大した図）参照）が形成されており、この開口２６ｅの周縁部に、吸湿部材２８を取り付けるための取付部２７が設けられている。
【００２２】
取付部２７は、開口２６ｅの周縁部から上方に延びた後に開口２６ｅの内部側に屈曲して水平に延びた断面Ｌ形の固定片２７ａと、固定片２７ａに固定される複数の組付部材２７ｄとで構成されている。組付部材２７ｄは、固定片２７ａの垂直部分の内面（開口２６ｅ側の面）に当接する垂直片と、固定片２７ａの水平部分と距離（吸湿部材２８の厚み分の距離）を保って固定片２７ａの水平部分の下方に位置する水平片とで構成されている。固定片２７ａの垂直部分の下部側の所定部分には、バーリング２７ｃを形成し、組付部材２７ｄの垂直片には、ボルト挿通穴が形成されている。ボルト２７ｂを組付部材２７ｄのボルト挿通穴から固定片２７ａのボルト挿通穴に通し、バーリング２７ｃに形成したねじと螺合させることにより、複数の組付部材２７ｄは、水平方向に間隔を保って固定片２７ａに固定されている。
【００２３】
吸湿部材２８は、粉末状の吸湿材を水に混ぜてスラリー状にしたのちに、バインダを加えて板状に加熱成形したもので、吸湿材としては、天然ゼオライト、バーミュキュライトなどの天然鉱石、モンモリナイトなどの粘土状の鉱物、及び、合成ゼオライト、シリカゲル、塩化カルシウムなどの人工合成物質を用いることができる。吸湿部材２８は、左右の長さが５００ｍｍ、前後の長さが２００ｍｍ、厚みが５ｍｍに設定されている。また、吸湿部材２８には、直径が１０ｍｍの貫通孔２８ａが、合計３７形成されている。この貫通孔２８ａは、左右、前後にそれぞれ６７．５ｍｍの間隔で配置されたものと、そのうちの四角形をかたどるように配置された４個の貫通孔２８ａの中心にそれぞれ１個の貫通孔２８ａが位置するようにして一定間隔で配置されている。
【００２４】
なお、貫通孔２８ａで本発明に係る吸気口が構成されている。この吸湿部材２８は、周縁部を固定片２７ａと組付部材２７ｄとで挟持されることによって取り付けられている。また、吸湿部材２８の下面と、箱状部２１の下面部２６の下面との間には高さが１０ｍｍの段差が設けられており、下面部２６の開口２６ｅの周縁部（固定片２７ａの下部）で本発明に係る堰が構成されている。また、吸湿部材２８は、装置本体２０ａの下面部の一部を構成しており、下面部２６と吸湿部材２８で本発明に係る下面部が構成される。
【００２５】
ファン３１は、軸方向に延びる複数の羽根３１ａを両端に配置された側面部（図示せず）を介して略円筒状に組み付けて構成されるクロスフローファンからなっており両端に軸部３１ｂ，３１ｃが突出している。ファン収納部２４の右側の壁部には軸受け部（図示せず）が設けられており、軸部３１ｂはこの軸受け部に回転可能に支持されている。また、軸部３１ｃは駆動装置３２のモータに連結されて、モータの作動により回転する。これによって、ファン３１は回転する。駆動装置３２の電装部品には、モータの作動を制御するための回路基板が含まれており、駆動装置３２は配線を介して操作パネル２３に接続されている。
【００２６】
このため、操作パネル２３の各操作スイッチ２３ａを操作することにより、モータを作動させたり、モータの作動を停止させたりすることができ、モータが作動することによりファン３１は回転する。そして、ファン３１の回転により、キャビネット１０の空間部１７の空気は、吸湿部材２８の貫通孔２８ａ及びスリット２６ａ，２６ｂ，２６ｃ，２６ｄを介して装置本体２０ａ内に吸引され、さらに、装置本体２０ａ内を通過して、排出口２２ａから蒸気排出装置２０の前方に排出される。
【００２７】
炊飯器１６を使用する場合には、このように構成された蒸気排出装置２０を備えたキャビネット１０の載置台１５に炊飯器１６を置いて、炊飯器１６のスイッチをオンにするとともに、操作パネル２３の作動開始用の操作スイッチ２３ａをオンにする。これによって、空間部１７の空気は、装置本体２０ａ内に吸引されたのちに排出口２２ａから排出されるようになる。そして、所定時間が経過して、炊飯器１６から蒸気が発生し始めると、その蒸気は空気とともに、装置本体２０ａ内に吸引される。
【００２８】
炊飯器１６から真っ直ぐ上昇した蒸気は、まず、吸湿部材２８の下面に接触して吸湿部材２８によって水分が吸収される。そして、吸湿部材２８によってある程度除湿された蒸気は貫通孔２８ａを通過して装置本体２０ａ内に入っていく。このとき、吸湿部材２８の周囲には、吸湿部材２８の下面よりも下方に位置する下面部２６が位置して堰が形成されているため、蒸気が吸湿部材２８の下面側に滞留して吸湿部材２８に接触する時間が長くなり、蒸気は効果的に除湿される。また、蒸気は、貫通孔２８ａを通過する間及び装置本体２０ａ内を通過する間にも吸湿部材２８によって除湿される。
【００２９】
また、炊飯器１６から炊飯器１６の外側の斜め上方に上昇した蒸気は、スリット２６ａ，２６ｂ，２６ｃ，２６ｄを通過して、装置本体２０ａ内に入っていく。その後、蒸気は、装置本体２０ａ内を通過する間に吸湿部材２８に接触して除湿される。このとき、キャビネット１０の背面部１１及び側面部１２，１３に沿って上昇する蒸気は、スリット２６ｂ，２６ｃ，２６ｄから装置本体２０ａ内に吸引されるため、蒸気が背面部１１及び側面部１２，１３に付着して結露が発生することはない。
【００３０】
このようにして、吸湿部材２８によって、除湿された蒸気又は空気は、排出口２２ａから蒸気排出装置２０の前方に排出される。また、排出口２２ａの後方に配置されたファン３１は、軸方向に延びるクロスフローファンで構成されているため、除湿された蒸気又は空気を含む送風は、幅が広なって、均一な状態で排出されるようになる。また、ファン３１は蒸気又は空気を吸引する際にも、幅の広い領域から均等に蒸気又は空気を吸引することができる。そして、炊飯器１６が停止し、蒸気の発生が停止した後、一定時間ファンを駆動させておくことで、吸湿部材２８で吸収された水分がゆっくりと室内に放出される。なお、家電機器１６の作動を電流で検知し、蒸気排出装置２０が自動的に作動するようにしてもよい。
【００３１】
以上のように、本実施形態に係る蒸気排出装置２０では、前面部２２に排出口２２ａが形成された箱状の装置本体２０ａの下面部２６に開口２６ｅを設けてその開口２６ｅに吸湿部材２８を取り付けるとともに、排出口２２ａの近傍に、ファン３１を設置している。また、吸湿部材２８に複数の貫通孔２８ａを設けるとともに、下面部２６における開口２６ｅの周囲に、スリット２６ａ，２６ｂ，２６ｃ，２６ｄを設けている。このため、ファン３１を作動させることにより、炊飯器１６から発生する蒸気の水分を吸湿部材２８に吸い込ませながら除湿された蒸気又は空気を、排出口２２ａから外部に排出することができる。このように、吸湿部材２８が、蒸気が通過する装置本体２０ａの一部を構成しているため、吸湿部材２８と蒸気との接触時間が長くなるとともに接触面積が大きくなり、吸湿部材２８による蒸気の除湿を効果的に行えるようになる。
【００３２】
また、スリット２６ｂ，２６ｃ，２６ｄは、キャビネット１０の背面部１１及び側面部１２，１３に沿うように配置されているため、蒸気は背面部１１及び側面部１２，１３に付着して結露することなく、スリット２６ｂ，２６ｃ，２６ｄを通過していく。さらに、吸湿部材２８の下面と、箱状部２１の下面部２６の下面との間には高さが１０ｍｍの段差が設けられて、下面部２６の開口２６ｅの周縁部に堰が形成されているため、蒸気が吸湿部材２８の下面に滞留するようになり、吸湿部材２８による蒸気の除湿量が大幅に増加する。これによって、炊飯器１６が発生する蒸気によって、室内の湿度が上昇することが防止される。
【００３３】
図８は、前述した実施形態の変形例に係る蒸気排出装置４０の内部を示している。この蒸気排出装置４０では、装置本体４０ａの箱状部４１における下面部４６の前部側にはスリットは形成されてなく、下面部４６の左右に形成されたスリット４６ｃ，４６ｄは、後部の幅が広く前方に行くほど先細りになった形状に形成されている。この蒸気排出装置４０のそれ以外の部分については前述した蒸気排出装置２０と同一である。したがって、同一部分に同一符号を記して説明は省略する。
【００３４】
この蒸気排出装置４０によると、スリット２６ｂ，４６ｃ，４６ｄから装置本体４０ａ内に吸引される蒸気の殆どが、排出口２２ａから離れた後方から装置本体４０ａ内に吸引されるようになる。このため、スリット２６ｂ，４６ｃ，４６ｄから装置本体４０ａ内に吸引される蒸気が万遍なく吸湿部材２８の上面に接触するようになり、これによって、吸湿部材２８による蒸気の除湿がさらに効果的に行えるようになる。この蒸気排出装置４０のそれ以外の作用効果は、前述した蒸気排出装置２０と同様である。
【００３５】
図９は、前述した実施形態の他の変形例に係る蒸気排出装置５０の内部を示している。この蒸気排出装置５０では、装置本体５０ａの箱状部５１における下面部５６の左右に設けられたスリット５６ｃ，５６ｄは、下面部５６の縁部に形成された切欠き凹部で構成されており、前後の長さ及び左右の幅は前述したスリット２６ｃ，２６ｄと同じに設定されている。この蒸気排出装置４０のそれ以外の部分については前述した蒸気排出装置２０と同一である。したがって、同一部分に同一符号を記して説明は省略する。
【００３６】
この蒸気排出装置５０によると、炊飯器等の家電機器１６から発生した蒸気のうちの側面部１２，１３側に上昇した蒸気は、スリット５６ａ，５６ｂを通過して、装置本体５０ａ内に入っていく。この場合、スリット５６ａ，５６ｂの外側にはキャビネットの側面部１２，１３が位置するため、蒸気排出装置５０とキャビネットの側面部１２，１３ととで形成された入り隅部の蒸気を吸い込むことができる。このため、側面部１２，１３におけるスリット５６ａ，５６ｂの近傍に位置する蒸気は、効果的に装置本体５０ａ内に吸引されるようになり、蒸気が側面部１２，１３に付着して結露が付着することをより確実に防止できる。
【００３７】
この蒸気排出装置５０のそれ以外の作用効果は、前述した蒸気排出装置２０と同様である。なお、下面部５６の縁部に形成したスリット５６ｃ，５６ｄは、下面部５６だけに形成してもよいし、蒸気排出装置５０の角部、すなわち、側面部と下面部５６とに渡って形成してもよい。また、蒸気排出装置５０の後方のスリット２６ｂを蒸気排出装置５０の角部に形成してもよい。
【００３８】
また、図示は省略しているが、前述した実施形態のさらに他の変形例に係る蒸気排出装置として、装置本体の下面部全体を吸湿部材で構成することができる。この場合、吸湿部材の周縁部の各辺のうちの任意の辺に本発明のスリットを構成する切欠き部を設けるとともに、吸湿部材の下面における外周側に下方に突出する枠状の堰を形成する。そして、吸湿部材の周縁部における切欠き部が形成されていない部分を取付部で固定することによって、吸湿部材を箱状部に組み付ける。それ以外の部分については前述した蒸気排出装置２０と同一に構成する。
【００３９】
この蒸気排出装置によると、装置本体の下面部全体が吸湿部材で構成されるため、蒸気が接触する吸湿部材の面積が大きくなり、吸湿部材による蒸気の除湿量が多くなる。また、蒸気排出装置を構成する部材の数が少なくなり、蒸気排出装置の構造が簡単になる。この蒸気排出装置のそれ以外の作用効果は、前述した蒸気排出装置２０と同様である。
【００４０】
前述した実施形態のさらに他の変形例として、吸湿部材２８に代えて、天然ゼオライトやバーミキュライトなどの鉱石を粉末状又は粒状にして、不織布、金属網などで形成したケース内に収容して吸湿部材とすることができる。これによると、ケース内に粉末状吸湿材又は粒状吸湿材を入れるだけで済むため、吸湿部材の製造が容易になる。また、粉末状又は粒状にすることで、吸湿材間に隙間を形成することができるため、貫通孔２８ａを形成するための加工も不要になる。さらに、他の変形例として、吸湿部材２８に代えて、粉末状吸湿材を水に混ぜてスラリー状にしたものを不織布に含浸させて吸湿部材とすることもできる。これによっても、吸湿部材の製造が吸湿部材２８の製造よりも容易になる。
【００４１】
本発明に係る蒸気排出装置は、前述した実施形態に限定するものでなく、適宜変更して実施することができる。例えば、前述した実施形態では、箱状部２１をステンレスで構成しているが、箱状部２１はステンレスに限らず、合成樹脂で構成してもよい。この場合の合成樹脂としては、ＡＢＳ（アクリロニトリル、ブタジエン、スチレンの共重合合成樹脂）、ＰＰ（ポリプロピレン）などを用いることができる。また、ファン３１は、クロスフローファンに限らずシロッコファン、ターボファンなどで構成してもよい。
【００４２】
さらに、前述した実施形態および変形例では、下面部２６又は吸湿部材にスリット２６ｂ，２６ｃ，２６ｄ，４６ｃ，４６ｄ，５６ｃ，５６ｄが形成されているが、このスリット２６ｂ，２６ｃ等は省略してもよい。また、前述した実施形態および変形例では、吸湿部材２８等に一定間隔で複数の貫通孔２８ａが形成されているが、この貫通孔２８ａは分布を変えて配置してもよい。例えば、排出口２２ａから離れている部分の貫通孔２８ａの数を多くし、排出口２２ａに近づくほど貫通孔２８ａの数を少なくする。また、各貫通孔２８ａの大きさを変えて、排出口２２ａから離れている貫通孔２８ａの大きさを大きくし、排出口２２ａの近く位置するほど貫通孔２８ａの大きさが小さくなるようにしてもよい。さらに、本発明に係る蒸気排出装置のそれ以外の部分の構成についても本発明の技術的範囲内で適宜変更することができる。
【符号の説明】
【００４３】
１０…キャビネット、１１…背面部、１２，１３…側面部、１５…載置台、１６…炊飯器、２０，４０，５０…蒸気排出装置、２０ａ，４０ａ，５０ａ…装置本体、２２…前面部、２２ａ…排出口、２６，４６，５６…下面部、２６ｂ，２６ｃ，２６ｄ，４６ｃ，４６ｄ，５６ｃ，５６ｄ…スリット、２７ａ…固定片、２８…吸湿部材、２８ａ…貫通孔、３１…ファン。
【図１】
2016106663.tif 000003
【図２】
2016106663.tif 000004
【図３】
2016106663.tif 000005
【図４】
2016106663.tif 000006
【図５】
2016106663.tif 000007
【図６】
2016106663.tif 000008
【図７】
2016106663.tif 000009
【図８】
2016106663.tif 000010
【図９】
2016106663.tif 000011